(57)【要約】【課題】制御部の設置を容易に行うことができる制御装置、制御ユニット、照明ユニット、及び照明システムを提供する。【解決手段】制御装置６０は、照明器具３０を制御可能である。制御装置６０は、制御部６２と、第２筐体７１と、制御取付部６３とを備える。制御部６２は、照明器具３０の制御内容を示す照明情報を取得し、前記照明情報に基づいて照明器具３０を制御する制御信号を生成する。第２筐体７１は、制御部６２を収容する。制御取付部６３は、照明器具３０を支持可能なレール部２１に第２筐体７１を取り付け可能である。【選択図】図２
2018152316.tif 000002
【特許請求の範囲】
【請求項１】
照明器具を制御可能な制御装置であって、
前記照明器具の制御内容を示す照明情報を取得し、前記照明情報に基づいて前記照明器具を制御する制御信号を生成する制御部と、
前記制御部を収容する筐体と、
前記照明器具を支持可能なレール部に前記筐体を取り付け可能な取付部と
を備える、制御装置。
【請求項２】
前記レール部には、前記制御信号を送る信号伝送部と、電力を送る導電部とが設けられ、
前記取付部は、
前記信号伝送部に前記制御部を接続可能な信号接続部と、
前記導電部に前記制御部を接続可能な電力接続部と
を有する、請求項１に記載の制御装置。
【請求項３】
前記取付部は、前記筐体を前記レール部に取り付け可能な取付機構を複数有し、
第１の前記取付機構により前記レール部に前記筐体が取り付けられると、前記信号接続部が前記信号伝送部と前記制御部とを接続し、
第２の前記取付機構により前記レール部に前記筐体が取り付けられると、前記電力接続部が前記導電部と前記制御部とを接続する、請求項２に記載の制御装置。
【請求項４】
前記取付部は、前記筐体を前記レール部に取り付け可能な取付機構を有し、
前記取付機構により前記レール部に前記筐体が取り付けられると、
前記信号接続部が前記信号伝送部と前記制御部とを接続すると共に、
前記電力接続部が前記導電部と前記制御部とを接続する、請求項２に記載の制御装置。
【請求項５】
前記制御部の状態を動作状態と停止状態とのうちのいずれかに切り替える切替部をさらに備える、請求項１から請求項４のいずれか一項に記載の制御装置。
【請求項６】
前記制御部の通電状態、及び／又は、前記制御部の動作状態を報知する報知部をさらに備える、請求項１から請求項５のいずれか一項に記載の制御装置。
【請求項７】
請求項１から請求項６のいずれか１項に記載の制御装置と、
前記レール部と
を備える制御ユニット。
【請求項８】
請求項１から請求項６のいずれか１項に記載の制御装置と、
前記照明器具と
を備える、照明ユニット。
【請求項９】
請求項１から請求項６のいずれか１項に記載の制御装置と、
前記レール部と、
前記照明器具と
を備える照明システム。
【発明の詳細な説明】
【技術分野】
【０００１】
本発明は、照明器具を制御可能な制御装置、制御ユニット、照明ユニット、及び照明システムに関する。
【背景技術】
【０００２】
特許文献１に記載の照明制御システムは、制御信号を送信する外部機器と、照明器具とを備える。制御信号は、照明光の制御を行う情報を含む。照明器具は、光源を点灯させる点灯回路部を備える。照明器具は、制御信号を点灯制御信号に変換し、点灯制御信号に基づいて点灯回路部を制御する。外部機器は、屋内の壁面に設置される。照明器具は、天井に設置される。
【先行技術文献】
【特許文献】
【０００３】
【特許文献１】特開２０１５−１０９１９６号公報
【発明の概要】
【発明が解決しようとする課題】
【０００４】
しかし、外部機器（制御部）を壁面に設置する際、壁に対して配線を通すための穴を開ける作業、及び壁に配線を通す作業のような煩雑な作業が必要だった。
【０００５】
本発明は、上記課題に鑑みてなされたものであり、制御部の設置を容易に行うことができる制御装置、制御ユニット、照明ユニット、及び照明システムを提供することを目的としている。
【課題を解決するための手段】
【０００６】
本願に開示する制御装置は、照明器具を制御可能である。制御装置は、制御部と、筐体と、取付部とを備える。制御部は、前記照明器具の制御内容を示す照明情報を取得し、前記照明情報に基づいて前記照明器具を制御する制御信号を生成する。筐体は、前記制御部を収容する。取付部は、前記照明器具を支持可能なレール部に前記筐体を取り付け可能である。
【０００７】
本願に開示する制御装置において、前記レール部には、前記制御信号を送る信号伝送部と、電力を送る導電部とが設けられることが好ましい。前記取付部は、信号接続部と、電力接続部とを有することが好ましい。信号接続部は、前記信号伝送部に前記制御部を接続可能であることが好ましい。電力接続部は、前記導電部に前記制御部を接続可能であることが好ましい。
【０００８】
本願に開示する制御装置において、前記取付部は、取付機構を複数有することが好ましい。各取付機構は、前記筐体を前記レール部に取り付け可能であることが好ましい。第１の前記取付機構により前記レール部に前記筐体が取り付けられると、前記信号接続部が前記信号伝送部と前記制御部とを接続することが好ましい。第２の前記取付機構により前記レール部に前記筐体が取り付けられると、前記電力接続部が前記導電部と前記制御部とを接続することが好ましい。
【０００９】
本願に開示する制御装置において、前記取付部は、取付機構を有することが好ましい。取付機構は、前記筐体を前記レール部に取り付け可能であることが好ましい。前記取付機構により前記レール部に前記筐体が取り付けられると、前記信号接続部が前記信号伝送部と前記制御部とを接続すると共に、前記電力接続部が前記導電部と前記制御部とを接続することが好ましい。
【００１０】
本願に開示する制御装置は、切替部をさらに備えることが好ましい。切替部は、前記制御部の状態を動作状態と停止状態とのうちのいずれかに切り替えることが好ましい。
【００１１】
本願に開示する制御装置は、報知部をさらに備えることが好ましい。報知部は、前記制御回路の通電状態、及び／又は、前記制御回路の動作状態を報知することが好ましい。
【００１２】
本願に開示する制御ユニットは、上記制御装置と、上記レール部とを備える。
【００１３】
本願に開示する照明ユニットは、上記制御装置と、上記照明器具とを備える。
【００１４】
本願に開示する照明システムは、上記制御装置と、上記レール部と、上記照明器具とを備える。
【発明の効果】
【００１５】
本発明によれば、制御部の設置を容易に行うことができる。
【図面の簡単な説明】
【００１６】
【図１】照明システムの第１実施形態を示す概略構成図。
【図２】照明システムを示すブロック図。
【図３】（ａ）第１制御取付機構と第２信号接続部とを示す側面図、（ｂ）第２制御取付機構と第２電力接続部とを示す側面図、（ｃ）制御取付部を示す側面図、（ｄ）制御取付部を示す上面図。
【図４】（ａ）制御取付部を示す側面図、（ｂ）制御取付部を示す上面図。
【図５】（ａ）レールユニットと第１制御取付機構とを示す一部断面図、（ｂ）レールユニットと第１制御取付機構とを示す一部断面図。
【図６】（ａ）レールユニットと第２制御取付機構とを示す一部断面図、（ｂ）レールユニットと第２制御取付機構とを示す一部断面図。
【図７】（ａ）レールユニットと第２制御取付機構の変形例とを示す一部断面図、（ｂ）レールユニットと第２制御取付機構の変形例とを示す一部断面図。
【図８】照明システムの第３実施形態を示すブロック図。
【発明を実施するための形態】
【００１７】
本発明の実施形態について、図面を参照しながら説明する。なお、図中、同一又は相当部分については同一の参照符号を付して説明を繰り返さない。
【００１８】
［第１実施形態］
図１を参照して、照明システム１の第１実施形態について説明する。図１は、照明システム１の第１実施形態の概略構成図である。
【００１９】
図１に示すように、照明システム１は、レールユニット２０と、照明器具３０と、入力装置５０と、制御装置６０とを備える。
【００２０】
入力装置５０は、制御装置６０に照明器具３０の制御内容を示す照明情報を送信する。制御装置６０は、レールユニット２０を介して照明器具３０に制御信号を送信し、照明器具３０を制御する。照明器具３０と制御装置６０との各々に対し、レールユニット２０を介して分電盤１００から電力が供給される。
【００２１】
次に、図１及び図２を参照して、照明システム１の構成について説明する。図２は、照明システム１を示すブロック図である。
【００２２】
図１及び図２に示すように、照明器具３０と、制御装置６０とは照明ユニット２を構成する。レールユニット２０と、制御装置６０とは制御ユニット３を構成する。
【００２３】
レールユニット２０は、レール部２１と、信号伝送部２２と、導電部２３とを有する。レールユニット２０は、例えば、配線ダクトと、ダクトレールとで構成される。レール部２１は、照明器具３０を支持可能である。従って、レール部２１は、照明器具３０を支持する。レール部２１には、信号伝送部２２と、導電部２３とが設置される。信号伝送部２２と導電部２３との各々は、導電性を有する。信号伝送部２２と導電部２３との各々は、長手方向Ｘに沿って延設される。長手方向Ｘは、レール部２１の延びる方向を示す。信号伝送部２２は、制御信号を送る。制御信号は、照明器具３０を制御する信号を示す。導電部２３は、分電盤１００に接続される。導電部２３は、分電盤１００から電力を供給される。導電部２３は、電力を送る。
【００２４】
照明器具３０は、複数設けられる。複数の照明器具３０は、長手方向Ｘに沿って並んでいる。複数の照明器具３０の各々は、スレーブ照明器具である。制御装置６０は、マスターであり、各照明器具３０へ制御信号を送信し、各照明器具３０を制御する。なお、複数の照明器具３０のうちの一つをマスター照明器具とし、残りをスレーブ照明器具としてもよい。また、照明システム１は、複数の照明器具３０を備えていてもよく、単数の照明器具３０を備えていてもよい。
【００２５】
以下では、複数の照明器具３０のうちの１つに着目して説明する。
【００２６】
照明器具３０は、光源３１と、点灯部３２と、照明取付部３３と、第１筐体４１とを備える。
【００２７】
光源３１は、発光素子を備える。発光素子は、例えば、ＬＥＤ（Ｌｉｇｈｔ  Ｅｍｉｔｔｉｎｇ  Ｄｉｏｄｅ）素子を示す。なお、発光素子は、ＬＥＤ素子に限定されない。光源３１は、例えば、半導体レーザーのような半導体発光素子、有機ＥＬ（Ｅｌｅｃｔｒｏ  Ｌｕｍｉｎｅｓｃｅｎｃｅ）、又は無機ＥＬのような固体発光素子を有してもよい。
【００２８】
点灯部３２は、点灯回路３４と、点灯電源回路３５とを有する。
【００２９】
点灯電源回路３５に対し、導電部２３を介して分電盤１００が交流電力を供給する。点灯電源回路３５は、交流電力を直流電力に変換して点灯回路３４に供給する。点灯回路３４は、点灯電源回路３５から供給される電力により光源３１を点灯させる。
【００３０】
第１筐体４１は、点灯部３２を収容する。具体的には、第１筐体４１は、点灯回路３４と、点灯電源回路３５とを収容する。第１筐体４１には光源３１が取り付けられる。
【００３１】
照明取付部３３は、レール部２１に第１筐体４１を取り付け可能である。なお、レール部２１に第１筐体４１を取り付け可能であるとは、レール部２１に第１筐体４１を直接に取り付け可能である場合だけでなく、間接的に取り付け可能である場合も含む。第１筐体４１がレール部２１に間接的に取り付けられる場合は、例えば、ブラケットのような支持部材を介して、第１筐体４１がレール部２１に取り付けられる場合を示す。照明取付部３３は、第１筐体４１に設置される。従って、単一の第１筐体４１に対して、点灯部３２が収容されると共に、照明取付部３３が設置される。照明取付部３３は、例えば、配線プラグと、ダクトプラグとで構成される。
【００３２】
照明取付部３３は、複数の照明取付機構と、第１信号接続部３８と、第１電力接続部３９とを有する。第１実施形態では、複数の照明取付機構は、第１照明取付機構３６と第２照明取付機構３７とで構成される。照明取付部３３は、第１照明取付機構３６と第２照明取付機構３７とを用いて、レール部２１に第１筐体４１を取り付ける。
【００３３】
第１信号接続部３８は、信号伝送部２２に点灯部３２を接続可能である。
第１照明取付機構３６によりレール部２１に第１筐体４１が取り付けられると、第１信号接続部３８が信号伝送部２２と点灯部３２とを接続する。信号伝送部２２と点灯部３２とが接続された状態は、信号伝送部２２と点灯部３２とが電気的に接続され、信号伝送部２２から点灯部３２に制御信号を送ることが可能な状態を示す。
【００３４】
第１電力接続部３９は、導電部２３に点灯部３２を接続可能である。
第２照明取付機構３７によりレール部２１に第１筐体４１が取り付けられると、第１電力接続部３９が導電部２３と点灯部３２とを接続する。導電部２３と点灯部３２とが接続された状態は、導電部２３と点灯部３２とが電気的に接続され、導電部２３から点灯部３２に電力を送ることが可能な状態を示す。
【００３５】
従って、第１照明取付機構３６及び第２照明取付機構３７の双方を用いてレール部２１に第１筐体４１が取り付けられると、点灯部３２が信号伝送部２２及び導電部２３の双方と接続される。その結果、点灯部３２が制御信号を受信し、制御信号に基づいて作動する。
【００３６】
図２に示すように、照明システム１は、点灯切替部８０をさらに備える。
点灯切替部８０は、手動で操作される。点灯切替部８０は、例えば、レバースイッチ、ボタンスイッチ、スライドスイッチ、又はシーソースイッチである。点灯切替部８０は、例えば、居室の壁に設置されるスイッチである。点灯切替部８０は、光源３１を点灯状態と消灯状態とのうちのいずれかに切り替える。点灯切替部８０は、光源３１を点灯状態にするとき、分電盤１００とレールユニット２０の導電部２３とを電気的に接続する。また、点灯切替部８０は、光源３１を消灯状態にするとき、分電盤１００とレールユニット２０の導電部２３との電気的な接続を遮断する。なお、レール部２１に複数の照明ユニット２が取り付けられている場合、点灯切替部８０の操作により、複数の照明ユニット２の各々の光源３１が一括して点灯及び消灯する。
【００３７】
入力装置５０は、入力部５１と、送信部５２とを有する。入力部５１は、照明器具３０の制御内容を示す照明情報を受け付ける。照明情報は、例えば、光源３１の点灯の指示を示す情報、明るさを示す情報、色温度を示す情報、及び、消灯の指示を示す情報である。送信部５２は、入力部５１を介して入力された照明情報を制御装置６０へ送信する。送信部５２は、照明情報を有線方式及び無線方式のうちのいずれの方式で送信してもよい。
【００３８】
入力装置５０は、例えば、パーソナルコンピューター、スマートフォン、又はタブレット型端末のような汎用機器であってもよい。また、入力装置５０は、専用の操作器であってもよい。
【００３９】
制御装置６０は、照明器具３０を制御可能である。従って、制御装置６０は、照明器具３０を制御する。具体的には、制御装置６０は、受信部６１と、制御部６２と、制御取付部（取付部）６３と、第２筐体（筐体）７１とを備える。
【００４０】
受信部６１は、送信部５２が送信した照明情報を受信する。受信部６１は、例えば、照明情報を無線方式で受信するアンテナを有する。
【００４１】
制御部６２は、制御回路６４と、制御電源回路６５とを有する。
【００４２】
制御回路６４は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような記憶素子（例えば、半導体メモリー）を含む。記憶素子は、種々のコンピュータープログラムを記憶する。制御回路６４は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御回路６４は、コンピュータープログラムを実行することにより、点灯回路３４を制御する。
【００４３】
制御回路６４は、受信部６１から照明情報を取得する。制御回路６４は、照明情報に基づいて、制御信号を生成する。制御信号は、信号伝送部２２を介して点灯部３２に送信される。点灯回路３４は、制御信号に基づいて光源３１を作動させる。その結果、光源３１は、照明情報に規定された内容に沿って作動する。具体的には、点灯回路３４は、点灯電源回路３５から供給された電力を、照明情報に対応した電力に変換して光源３１に供給する。その結果、光源３１は、照明情報に規定された内容に沿って、点灯、消灯、明るさの変更、及び／又は、色温度の変更を行う。
【００４４】
制御信号による光源３１の制御方法は、特に限定されない。光源３１の制御方法として、例えば、ＤＡＬＩ（登録商標）に規定された制御方法、ＰＷＭ制御による制御方法、又は、Ｔ／Ｆｌｅｃｓ（登録商標）による制御方法を適用してもよい。
また、制御信号による光源３１の制御内容は、光源３１の点灯及び消灯の制御以外に、調光制御、及び調色制御のうちの少なくとも１つが含まれていればよい。
【００４５】
制御電源回路６５に対し、導電部２３を介して分電盤１００が交流電力を供給する。制御電源回路６５は、交流電力を直流電力に変換して制御回路６４に供給する。制御回路６４は、制御電源回路６５から供給される電力で作動する。
【００４６】
第２筐体７１は、制御部６２を収容する。具体的には、第２筐体７１は、制御回路６４と、制御電源回路６５とを収容する。なお、第１実施形態では、受信部６１が第１筐体４１の外部に設置されている。しかし、本発明はこれに限定されず、受信部６１が第１筐体４１に収容されていてもよい。
【００４７】
制御取付部６３は、レール部２１に第２筐体７１を取り付け可能である。なお、レール部２１に第２筐体７１を取り付け可能であるとは、レール部２１に第２筐体７１を直接に取り付け可能である場合だけでなく、間接的に取り付け可能である場合も含む。第２筐体７１がレール部２１に間接的に取り付けられる場合は、例えば、ブラケットのような支持部材を介して、第２筐体７１がレール部２１に取り付けられる場合を示す。制御取付部６３は、第２筐体７１に設置される。従って、単一の第２筐体７１に対して、制御部６２が収容されると共に、制御取付部６３が設置される。
【００４８】
制御取付部６３は、複数の制御取付機構と、第２信号接続部（信号接続部）６８と、第２電力接続部（電力接続部）６９とを有する。第１実施形態では、複数の取付機構は、第１制御取付機構（第１の取付機構）６６と第２制御取付機構（第２の取付機構）６７とで構成される。制御取付部６３は、第１制御取付機構６６と第２制御取付機構６７とを用いて、レール部２１に第２筐体７１を取り付ける。
従って、複数の取付機構によりレール部２１に第２筐体７１を取り付けるので、レール部２１が第２筐体７１を安定して保持することが可能となる。
【００４９】
以上、図２を参照して説明したように、制御取付部６３は、レール部２１に第２筐体７１を取り付け可能である。また、レール部２１は、照明器具３０を支持可能である。従って、レール部２１に設けられた照明器具３０を支持するための構造を利用して、レール部２１に第２筐体７１を取り付けることができる。その結果、制御部６２の設置を容易に行うことができる。
【００５０】
第２信号接続部６８は、信号伝送部２２に制御部６２を接続可能である。
第１制御取付機構６６によりレール部２１に第２筐体７１が取り付けられると、第２信号接続部６８が信号伝送部２２と制御部６２とを接続する。信号伝送部２２と制御部６２とが接続された状態は、信号伝送部２２と制御部６２とが電気的に接続され、制御部６２から信号伝送部２２に制御信号を送ることが可能な状態を示す。
【００５１】
第２電力接続部６９は、導電部２３に制御部６２を接続可能である。
第２制御取付機構６７によりレール部２１に第２筐体７１が取り付けられると、第２電力接続部６９が導電部２３と制御部６２とを接続する。導電部２３と制御部６２とが接続された状態は、導電部２３と制御部６２とが電気的に接続され、導電部２３から制御部６２に電力を送ることが可能な状態を示す。
【００５２】
従って、第１制御取付機構６６及び第２制御取付機構６７の双方を用いてレール部２１に第２筐体７１が取り付けられると、制御部６２が信号伝送部２２及び導電部２３の双方と接続される。その結果、制御部６２が作動する。具体的には、制御部６２は、制御信号を生成し、制御信号を信号伝送部２２へ送信する。
【００５３】
次に、図３（ａ）を参照して、第１制御取付機構６６と第２信号接続部６８とについて説明する。図３（ａ）は、第１制御取付機構６６と第２信号接続部６８とを示す。
【００５４】
図３（ａ）に示すように、第１制御取付機構６６は、第１本体６６ａと、一対の第１突出部６６ｂと、第１切替部６６ｃとを有する。第１本体６６ａは、第１本体６６ａの中心を通る第１軸Ｎ１を中心にして回転可能に支持される。第１軸Ｎ１は、例えば、鉛直方向に平行な軸を示す。一対の第１突出部６６ｂの各々は、第１本体６６ａに固定される。一対の第１突出部６６ｂは、第１本体６６ａの回転方向に互いに１８０°の間隔を空けて設置される。第１切替部６６ｃは、第１本体６６ａに固定される。ユーザーは、第１切替部６６ｃを把持して、第１本体６６ａを回転させる。第２信号接続部６８は、一対の第１端子６８ａを有する。一対の第１端子６８ａの各々は、導電性を有する部材で形成される。一対の第１端子６８ａの各々は、第１本体６６ａに固定される。一対の第１端子６８ａは、第１本体６６ａの回転方向に互いに１８０°の間隔を空けて設置される。
【００５５】
次に、図３（ｂ）を参照して、第２制御取付機構６７と第２電力接続部６９とについて説明する。図３（ｂ）は、第２制御取付機構６７と第２電力接続部６９とを示す。
【００５６】
図３（ｂ）に示すように、第２制御取付機構６７は、第２本体６７ａと、一対の第２突出部６７ｂと、第２切替部６７ｃとを有する。第２本体６７ａは、第２本体６７ａの中心を通る第２軸Ｎ２を中心にして回転可能に支持される。第２軸Ｎ２は、例えば、鉛直方向に平行な軸を示す。一対の第２突出部６７ｂの各々は、第２本体６７ａに固定される。一対の第２突出部６７ｂは、第２本体６７ａの回転方向に互いに１８０°の間隔を空けて設置される。第２切替部６７ｃは、第２本体６７ａに固定される。ユーザーは、第２切替部６７ｃを把持して、第２本体６７ａを回転させる。第２電力接続部６９は、一対の第２端子６９ａを有する。一対の第２端子６９ａの各々は、導電性を有する部材で形成される。一対の第２端子６９ａの各々は、第２本体６７ａに固定される。一対の第２端子６９ａは、第２本体６７ａの回転方向に互いに１８０°の間隔を空けて設置される。
【００５７】
次に、図３（ｃ）及び図３（ｄ）を参照して、制御取付部６３について説明する。図３（ｃ）及び図３（ｄ）は、制御取付部６３を示す。
【００５８】
図３（ｃ）及び図３（ｄ）に示すように、第２筐体７１には、第１制御取付機構６６と第２制御取付機構６７とが設置される。第２筐体７１は、第１本体６６ａと第２本体６７ａとを収容する。第２筐体７１は、第１本体６６ａと第２本体６７ａとの各々を回転可能に支持する。第２筐体７１は、制御部６２を収容する。第２筐体７１は、複数の孔７１ａを有する。複数の孔７１ａの各々は、第２筐体７１の外部と内部とを連通する。一対の第１端子６８ａと、一対の第１突出部６６ｂと、一対の第２端子６９ａと、一対の第２突出部６７ｂとは、複数の孔７１ａのうちのいずれかを介して、第２筐体７１の外部へ突出することができる。
【００５９】
次に、図３（ｃ）〜図４（ｂ）を参照して、制御取付部６３の動作について説明する。
【００６０】
図３（ｃ）及び図３（ｄ）において、第１制御取付機構６６は、第１解除姿勢を示す。図３（ｃ）及び図３（ｄ）に示すように、第１解除姿勢は、一対の第１端子６８ａと、一対の第１突出部６６ｂとが第２筐体７１に収容されるときの第１制御取付機構６６の姿勢を示す。
【００６１】
また、図３（ｃ）及び図３（ｄ）において、第２制御取付機構６７は、第２解除姿勢を示す。図３（ｃ）及び図３（ｄ）に示すように、第２解除姿勢は、一対の第２端子６９ａと、一対の第２突出部６７ｂとが第２筐体７１に収容されるときの第２制御取付機構６７の姿勢を示す。
【００６２】
図４（ａ）及び図４（ｂ）において、第１制御取付機構６６は、第１取付姿勢を示す。図４（ａ）及び図４（ｂ）に示すように、第１取付姿勢は、一対の第１突出部６６ｂと、一対の第１端子６８ａとが、第２筐体７１の外部に突出しているときの第１制御取付機構６６の姿勢を示す。
【００６３】
また、図４（ａ）及び図４（ｂ）において、第２制御取付機構６７は、第２取付姿勢を示す。  図４（ａ）及び図４（ｂ）に示すように、第２取付姿勢は、一対の第２突出部６７ｂと、一対の第２端子６９ａとが、第２筐体７１の外部に突出しているときの第２制御取付機構６７の姿勢を示す。
【００６４】
図３（ｃ）〜図４（ｂ）に示すように、第１切替部６６ｃが操作されると、第１本体６６ａが回転する。その結果、第１切替部６６ｃが、第１制御取付機構６６の姿勢を、第１解除姿勢と第１取付姿勢とのうちのいずれかに切り替える。また、第２切替部６７ｃが操作されると、第２本体６７ａが回転する。その結果、第１切替部６６ｃが、第２制御取付機構６７の姿勢を、第２解除姿勢と第２取付姿勢とのうちのいずれかに切り替える。
【００６５】
次に、図５（ａ）を参照して、レールユニット２０について説明する。図５（ａ）は、レール部２１を長手方向Ｘ（図１参照）に対して垂直な方向に切断したときのレール部２１の断面図を示す。
【００６６】
図５（ａ）に示すように、レール部２１は、基部２４と、第１側部２５と、第２側部２６と、第１係止部２７と、第２係止部２８と、第１係合部２５ａと、第２係合部２６ａと、第３係合部２５ｂと、第４係合部２６ｂとを有する。基部２４は、長手方向Ｘに沿って延設される。第１側部２５と第２側部２６との各々は、基部２４に固定され、基部２４から突出している。第１側部２５と第２側部２６とは、互いに幅方向Ｙに間隔を空けて設置されると共に、幅方向Ｙに対向するように設置される。幅方向Ｙは、長手方向Ｘに対して垂直な方向を示す。レール部２１の内側には、第１係合部２５ａと、第２係合部２６ａと、第３係合部２５ｂと、第４係合部２６ｂと、第１係止部２７と、第２係止部２８とが設置される。レール部２１の内側は、第１側部２５と第２側部２６とで挟まれた空間を示す。第１係合部２５ａには、信号伝送部２２の−側（低電位側）の端子２２ａが設置される。第２係合部２６ａには、信号伝送部２２の＋側（高電位側）の端子２２ｂが設置される。第３係合部２５ｂには、導電部２３のニュートラル用の端子２３ａが設置される。第４係合部２６ｂには、導電部２３のライブ用の端子２３ｂが設置される。
【００６７】
続いて、図５（ａ）及び図５（ｂ）を参照して、第１制御取付機構６６によりレール部２１に第２筐体７１を取り付けるときの第１制御取付機構６６の動作について説明する。図５（ａ）は、第１解除姿勢の第１制御取付機構６６を示す。図５（ｂ）は、第１取付姿勢の第１制御取付機構６６を示す。
【００６８】
図５（ａ）に示すように、第１制御取付機構６６が第１解除姿勢の状態で、第１本体６６ａがレール部２１の内側へ挿入される。図５（ｂ）に示すように、第１本体６６ａがレール部２１の内側へ挿入された後、第１切替部６６ｃが操作される。第１切替部６６ｃは、第１制御取付機構６６の姿勢を第１取付姿勢に切り替える。第１制御取付機構６６の姿勢が第１取付姿勢になると、一対の第１突出部６６ｂのうちの一方が第１係止部２７に接触し、他方が第２係止部２８に接触する。その結果、第２筐体７１がレール部２１に係止され、第２筐体７１がレール部２１に取り付けられる。また、第１制御取付機構６６の姿勢が第１取付姿勢になると、一対の第１端子６８ａのうちの一方が端子２２ａに接触し、他方が端子２２ｂに接触する。その結果、信号伝送部２２と制御部６２とが接続される。
従って、第１制御取付機構６６によりレール部２１に第２筐体７１が取り付けられると、第２信号接続部６８が信号伝送部２２と制御部６２とを接続する。
【００６９】
第１制御取付機構６６によりレール部２１に第２筐体７１が取り付けられた状態から、第１切替部６６ｃが操作される。第１切替部６６ｃは、第１制御取付機構６６の姿勢を第１解除姿勢に切り替える（図５（ａ）参照）。その結果、第１制御取付機構６６によりレール部２１に第２筐体７１が取り付けられた状態が解除される。また、第１制御取付機構６６の姿勢が第１解除姿勢になると、信号伝送部２２と制御部６２とが非接続になる。
【００７０】
次に、図６（ａ）及び図６（ｂ）を参照して、第２制御取付機構６７によりレール部２１に第２筐体７１を取り付けるときの第２制御取付機構６７の動作について説明する。図６（ａ）は、第２解除姿勢の第２制御取付機構６７を示す。図６（ｂ）は、第２取付姿勢の第２制御取付機構６７を示す。
【００７１】
図６（ａ）に示すように、第２制御取付機構６７が第２解除姿勢の状態で、第２本体６７ａがレール部２１の内側へ挿入される。図６（ｂ）に示すように、第２本体６７ａがレール部２１の内側へ挿入された後、第２切替部６７ｃが操作される。その結果、第２切替部６７ｃが、第２制御取付機構６７の姿勢を第２取付姿勢に切り替える。第２制御取付機構６７の姿勢が第２取付姿勢になると、一対の第２突出部６７ｂのうちの一方が第１係止部２７に接触し、他方が第２係止部２８に接触する。その結果、第２筐体７１がレール部２１に係止され、第２筐体７１がレール部２１に取り付けられる。また、第２制御取付機構６７の姿勢が第２取付姿勢になると、一対の第２端子６９ａのうちの一方が端子３２ａに接触し、他方が端子２３ｂに接触する。その結果、導電部２３と制御部６２とが接続される。
従って、第２制御取付機構６７によりレール部２１に第２筐体７１が取り付けられると、第２電力接続部６９が導電部２３と制御部６２とを接続する。
【００７２】
第２制御取付機構６７によりレール部２１に第２筐体７１が取り付けられた状態から、第２切替部６７ｃが操作される。第２切替部６７ｃは、第２制御取付機構６７の姿勢を第２解除姿勢に切り替える（図６（ａ）参照）。その結果、第２制御取付機構６７によりレール部２１に第２筐体７１が取り付けられた状態が解除される。また、第２制御取付機構６７の姿勢が第２解除姿勢になると、導電部２３と制御部６２とが非接続になる。
【００７３】
第１切替部（切替部）６６ｃと第２切替部（切替部）６７ｃとは、制御部６２の状態を動作状態と停止状態とのうちのいずれかに切り替える。動作状態は、信号伝送部２２と制御部６２とが接続されると共に、導電部２３と制御部６２とが接続された状態を示す。つまり、動作状態は、制御部６２が照明器具３０を制御可能な状態を示す。停止状態は、信号伝送部２２と制御部６２とが非接続となり、及び／又は、導電部２３と制御部６２とが非接続になる状態を示す。つまり、停止状態は、制御部６２が照明器具３０を制御できない状態を示す。
【００７４】
従って、第１切替部６６ｃと第２切替部６７ｃとを操作することで、制御部６２を使用した照明器具３０の制御を行うか否かを選択することが可能となる。なお、制御部６２を停止状態に切り替えた場合、ユーザーは、点灯切替部８０を操作して、照明器具３０を操作する。具体的には、ユーザーは、点灯切替部８０を操作して、光源３１を点灯状態と消灯状態とのうちのいずれかに切り替える。
【００７５】
なお、照明取付部３３（図１参照）は、図３（ａ）〜図６（ｂ）を参照して説明した制御取付部６３の構成と同様の構成を有する。具体的には、第１照明取付機構３６は第１制御取付機構６６の構成と同様の構成を有し、第２照明取付機構３７は第２制御取付機構６７の構成と同様の構成を有する。
【００７６】
［第２実施形態］
図７（ａ）及び図７（ｂ）を参照して、照明システム１の第２実施形態について説明する。図７（ａ）及び図７（ｂ）は、第２制御取付機構６７（取付機構）を示す概略構成図である。第２実施形態において、単一の第２制御取付機構６７により信号伝送部２２と制御部６２とを接続すると共に、導電部２３と制御部６２とを接続するように構成した点が第１実施形態と異なる。第２実施形態において、主に第１実施形態との変更点について説明する。
【００７７】
図７（ａ）及び図７（ｂ）に示すように、第２本体６７ａには一対の第１端子６８ａがさらに固定される。一対の第１端子６８ａは、第２本体６７ａの回転方向に互いに１８０°の間隔を空けて設置される。従って、第２本体６７ａには、一対の第１端子６８ａ及び一対の第２端子６９ａの双方が固定される。その結果、単一の第２切替部（切替部）６７ｃを操作することで、制御部６２の状態が動作状態と停止状態とのうちのいずれかに切り替わる。
【００７８】
続いて、図７（ａ）及び図７（ｂ）を参照して、第２制御取付機構６７によりレール部２１に第２筐体７１を取り付けるときの第２制御取付機構６７の動作について説明する。図７（ａ）において、第２制御取付機構６７は、第３解除姿勢を示す。第３解除姿勢は、一対の第２端子６９ａと、一対の第２突出部６７ｂと、一対の第１端子６８ａとが第２筐体７１に収容されるときの第２制御取付機構６７の姿勢を示す。図７（ｂ）において、第２制御取付機構６７は、第３取付姿勢を示す。第３取付姿勢は、一対の第２突出部６７ｂと、一対の第２端子６９ａと、一対の第１端子６８ａとが、第２筐体７１の外部に突出しているときの第２制御取付機構６７の姿勢を示す。
【００７９】
図７（ａ）に示すように、第２制御取付機構６７が第３解除姿勢の状態で、第２本体６７ａがレール部２１の内側へ挿入される。図７（ｂ）に示すように、第２本体６７ａがレール部２１の内側へ挿入された後、第２切替部６７ｃが操作される。その結果、第２切替部６７ｃが、第２制御取付機構６７の姿勢を第３取付姿勢に切り替える。第２制御取付機構６７の姿勢が第３取付姿勢になると、一対の第２突出部６７ｂのうちの一方が第１係止部２７に接触し、他方が第２係止部２８に接触する。その結果、第２筐体７１がレール部２１に係止され、第２筐体７１がレール部２１に取り付けられる。また、第２制御取付機構６７の姿勢が第３取付姿勢になると、一対の第１端子６８ａのうちの一方が端子２２ａに接触し、他方が端子２２ｂに接触する。その結果、信号伝送部２２と制御部６２とが接続される。また、第２制御取付機構６７の姿勢が第３取付姿勢になると、一対の第２端子６９ａのうちの一方が端子３２ａに接触し、他方が端子２３ｂに接触する。その結果、導電部２３と制御部６２とが接続される。
従って、単一の第２制御取付機構６７によりレール部２１に第２筐体７１が取り付けられると、第２信号接続部（信号接続部）６８が信号伝送部２２と制御部６２とを接続すると共に、第２電力接続部（電力接続部）６９が導電部２３と制御部６２とを接続する。その結果、レール部２１に対する第２筐体７１の取り付け作業を円滑に行うことができる。また、第１制御取付機構６６を省き、装置構成を簡素化することが可能となる。
【００８０】
第２制御取付機構６７によりレール部２１に第２筐体７１が取り付けられた状態から、第２切替部６７ｃが操作される。第２切替部６７ｃは、第２制御取付機構６７の姿勢を第３解除姿勢に切り替える（図７（ａ）参照）。その結果、第２制御取付機構６７によりレール部２１に第２筐体７１が取り付けられた状態が解除される。また、第２制御取付機構６７の姿勢が第３解除姿勢になると、信号伝送部２２と制御部６２とが非接続になると共に、導電部２３と制御部６２とが非接続になる。
【００８１】
なお、第２照明取付機構３７と第１信号接続部３８と第１電力接続部３９とは、図７（ａ）及び図７（ｂ）を参照して説明した第２制御取付機構６７と第２信号接続部６８と第２電力接続部６９との構成と同様の構成を有していてもよい。つまり、照明取付部３３を、第２実施形態の制御取付部６３のように構成してもよい。
【００８２】
［第３実施形態］
図８を参照して、照明システム１の第３実施形態について説明する。図８は、照明システム１の第３実施形態の概略構成図である。第３実施形態において、制御部６２の状態を報知するように構成した点が第１実施形態と異なる。第３実施形態において、主に第１実施形態との変更点について説明する。
【００８３】
図８に示すように、制御装置６０は、報知装置９０を備える。報知装置９０は、第１検知部９１と、第２検知部９２と、報知部９３とを有する。第１検知部９１は、制御部６２の通電状態を検知する。制御部６２の通電状態は、制御部６２に対して導電部２３から電力が供給されている状態を示す。第２検知部９２は、制御部６２の作動状態を検知する。制御部６２の作動状態は、制御部６２が信号伝送部２２へ制御信号を送信している状態を示す。報知部９３は、第１検知部９１から、制御部６２の通電状態を示す通電信号を受信する。報知部９３は、通電信号に基づいて、制御部６２が通電状態であるか否かを判定する。そして、報知部９３は、制御部６２が通電状態であるか否かを報知する。また、報知部９３は、第２検知部９２から、制御部６２の作動状態を示す作動信号を受信する。報知部９３は、作動信号に基づいて、制御部６２が作動状態であるか否かを判定する。そして、報知部９３は、制御部６２が作動状態であるか否かを報知する。
【００８４】
報知部９３は、例えば、ＬＥＤインジケーターのような表示部を有する。具体的には、報知部９３は、制御部６２の通電状態を報知するための第１表示部と、制御部６２の作動状態を報知するための第２表示部とを有する。制御部６２が通電状態のとき、第１表示部が点灯する。制御部６２が通電状態ではないとき、第１表示部が消灯する。また、制御部６２が作動状態のとき、第２表示部が点灯する。制御部６２が作動状態ではないとき、第２表示部が消灯する。その結果、ユーザーは、報知部９３を視認することで、制御部６２の通電状態と、制御部６２の作動状態とを認識することが可能となる。
【００８５】
報知部９３の設置場所について説明する。
第１光源１１は、例えば、照射室の天井に設けられ、照射室内に光を照射する。この場合、照射室内にいる人が視認可能な場所に、報知部９３が設置される。報知部９３は、例えば、レール部２１に取り付けられる。なお、報知部９３を第２筐体７１に取り付けてもよい。
また、報知部９３を、マスター照明器具の近傍に設置してもよい。例えば、報知部９３をマスター照明器具の第１筐体４１に取り付ける。その結果、作業者は、報知部９３を視認することで、複数の照明器具３０のなかから、マスター照明器具を容易に見つけることができる。その結果、作業者は、複数の照明器具３０に対するアドレスの振り直し作業、及びグループ分け作業を円滑に行うことができる。
【００８６】
なお、報知部９３は、制御部６２の通電状態、及び、制御部６２の作動状態のうちのいずれかを報知するように構成してもよい。しかし、報知部９３が、制御部６２の通電状態、及び、制御部６２の作動状態の双方を報知する方が、制御部６２の状態をユーザーがより詳細に認識できる点で有利である。
【００８７】
以上、図面（図１〜図８）を参照しながら本発明の実施形態について説明した。但し、本発明は、上記の実施形態に限られるものではなく、その要旨を逸脱しない範囲で種々の態様において実施することが可能である（例えば、下記に示す（１）、（２））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００８８】
（１）第３実施形態において、報知装置９０が第１実施形態の照明システム１に対して設けられた。しかし、報知装置９０が第２実施形態の照明システム１に対して設けられてもよい。
【００８９】
（２）第１実施形態から第３実施形態において、単一の第２筐体７１に対して制御部６２を収容すると共に、制御取付部６３を設置した。すなわち、制御取付部６３と第２筐体７１とを一体で構成した。しかし、本発明はこれに限定されない。制御取付部６３を第２筐体７１から分離し、制御取付部６３と第２筐体７１とを別体で構成してもよい。すなわち、制御取付部６３に対して第２筐体７１を着脱自在に構成する。その結果、制御取付部６３と、第２筐体７１に収容される制御部６２とを互いに独立して扱うことができ、装置のメンテナンス性を向上させることができる。
【００９０】
また、第１実施形態から第３実施形態において、照明取付部３３と第１筐体４１とを一体で構成した。しかし、照明取付部３３を第１筐体４１から分離し、照明取付部３３と第１筐体４１とを別体で構成してもよい。すなわち、照明取付部３３に対して第１筐体４１を着脱自在に構成する。その結果、照明取付部３３と、第１筐体４１に収容される点灯部３２とを互いに独立して扱うことができ、装置のメンテナンス性を向上させることができる。
【００９１】
また、制御取付部６３と第２筐体７１とを別体で構成し、かつ、照明取付部３３と第１筐体４１とを別体で構成する場合、制御取付部６３が照明取付部３３を兼ねるように構成してもよい。つまり、制御取付部６３は、レール部２１に第１筐体４１を取付け可能に構成される。従って、レール部２１に第１筐体４１を取り付ける場合、及び、レール部２１に第２筐体７１を取り付ける場合の各々に対し、１種類の取付部（制御取付部６３）で対応することができる。その結果、装置の扱いやすさを向上させることができる。
【００９２】
（３）照明ユニット２において、照明器具３０と制御装置６０とを一体で構成してもよい。照明器具３０と制御装置６０とを一体で構成するとは、構成（ｉ）〜構成（ｉｉｉ）のうちのいずれかの構成に該当する場合を示す。以下では、図２及び図８を参照して、構成（ｉ）〜構成（ｉｉｉ）について説明する。
【００９３】
［構成（ｉ）］
図２及び図８に示すように、第１実施形態〜第３実施形態の各々に記載の照明ユニット２において、第１筐体４１と第２筐体７１とを互いに固定する。
【００９４】
［構成（ｉｉ）］
第１実施形態、及び第３実施形態の各々に記載の照明ユニット２において、（ｉｉ−１）〜（ｉｉ−７）のように構成する。
（ｉｉ−１）照明ユニット２は、単一の筐体Ａと、取付部Ｂとを備える。
（ｉｉ−２）筐体Ａは、第１筐体４１と第２筐体７１とを単一の筐体として構成したものである。従って、筐体Ａは、点灯部３２と制御部６２とを収容する。
（ｉｉ−３）取付部Ｂは、信号取付機構Ｂ１と、信号接続部Ｂ２と、電力取付機構Ｂ３と、電力接続部Ｂ４とを有する。
（ｉｉ−４）信号取付機構Ｂ１は、第１照明取付機構３６と、第１制御取付機構６６とに相当する。従って、信号取付機構Ｂ１は、レール部２１に筐体Ａを取り付け可能である。
（ｉｉ−５）信号接続部Ｂ２は、第１信号接続部３８と第２信号接続部６８とに相当する。従って、信号取付機構Ｂ１によりレール部２１に筐体Ａが取り付けられると、信号伝送部２２に対し、信号接続部Ｂ２が、点灯部３２と制御部６２とを接続する。
（ｉｉ−６）電力取付機構Ｂ３は、第２照明取付機構３７と、第２制御取付機構６７とに相当する。従って、電力取付機構Ｂ３は、レール部２１に筐体Ａを取り付け可能である。
（ｉｉ−７）電力接続部Ｂ４は、第１電力接続部３９と第２電力接続部６９とに相当する。従って、電力取付機構Ｂ３によりレール部２１に筐体Ａが取り付けられると、導電部２３に対し、電力接続部Ｂ４が、点灯部３２と制御部６２とを接続する。
【００９５】
［構成（ｉｉｉ）］
第２実施形態に記載の照明ユニット２において、（ｉｉｉ−１）〜（ｉｉｉ−５）のように構成する。
（ｉｉｉ−１）照明ユニット２は、単一の筐体Ａと、取付部Ｃとを備える。
（ｉｉｉ−２）筐体Ａは、点灯部３２と制御部６２とを収容する。
（ｉｉｉ−３）取付部Ｃは、取付機構Ｃ１と、信号接続部Ｃ２と、電力接続部Ｃ３とを有する。
（ｉｉｉ−４）取付機構Ｃ１は、第２照明取付機構３７と、第２制御取付機構６７に相当する。従って、取付機構Ｃ１は、レール部２１に筐体Ａを取り付け可能である。
（ｉｉｉ−５）信号接続部Ｃ２は、第１信号接続部３８と第２信号接続部６８とに相当する。電力接続部Ｃ３は、第１電力接続部３９と第２電力接続部６９とに相当する。従って、取付機構Ｃ１によりレール部２１に筐体Ａが取り付けられると、信号伝送部２２に対し、信号接続部Ｃ２が、点灯部３２と制御部６２とを接続すると共に、導電部２３に対し、電力接続部Ｃ３が、点灯部３２と制御部６２とを接続する。
【００９６】
構成（ｉ）〜構成（ｉｉｉ）に示すように、照明器具３０と制御装置６０とを一体で構成することで、レール部２１に対する照明器具３０の設置作業と制御装置６０の設置作業とを同時に行うことができる。その結果、制御部６２の設置を容易に行うことが可能となる。
【００９７】
（４）本実施形態では制御部６２をレール部２１に設置した。しかし、本発明はこれに限定されない。制御部６２を天井裏に設置してもよい。制御部６２を天井裏に設置する場合、制御部６２の出力側の信号線を天井裏から居室内へ引き込むために、天井に孔をあける必要がない。天井にはすでに配線孔があけられているからである。配線孔は、電力線を通すための孔である。
電力線は、分電盤１００から天井裏へ延設され、天井裏から配線孔を介してレールユニット２０の導電部２３まで延設されている。従って、天井裏の制御部６２と、居室内の信号伝送部２２とを信号線で接続する場合、電力線用の配線孔を併用し、配線孔を介して天井裏から居室内に信号線を通せばよい。
その結果、制御装置６０を天井裏に設置する場合、天井に信号線用の孔を新たにあける必要がなく、制御部６２の設置を容易に行うことが可能となる。
【産業上の利用可能性】
【００９８】
本発明は、制御装置、制御ユニット、照明ユニット、及び照明システムを提供するものであり、産業上の利用可能性を有する。
【符号の説明】
【００９９】
１      照明システム
２      照明ユニット
３      制御ユニット
２１    レール部
２２    信号伝送部
２３    導電部
３０    照明器具
６０    制御装置
６２    制御部
６３    制御取付部（取付部）
６６    第１制御取付機構（第１の取付機構）
６６ｃ  第１切替部（切替部）
６７    第２制御取付機構（第２の取付機構）
６７ｃ  第２切替部（切替部）
６８    第２信号接続部（信号接続部）
６９    第２電力接続部（電力接続部）
７１    第２筐体（筐体）
９３    報知部
【図１】
2018152316.tif 000003
【図２】
2018152316.tif 000004
【図３】
2018152316.tif 000005
【図４】
2018152316.tif 000006
【図５】
2018152316.tif 000007
【図６】
2018152316.tif 000008
【図７】
2018152316.tif 000009
【図８】
2018152316.tif 000010